(57)【要約】【課題】  実際にプロジェクトを使用しているユーザーを所定の期間ごとに容易に特定できる画像データ保管システムおよび端末装置を提供する。【解決手段】  ユーザーＩＤ毎に、プロジェクトに登録し、使用を開始する日時と、終了する日時を記憶し、さらに、プロジェクト毎に所定の期間に使用するユーザーを記憶することで、プロジェクトに参加し、利用するユーザーを容易に特定し、そのデータを基に、容易に実使用に応じた課金をすることができる。【選択図】  図６
2017182361.tif 000002
【特許請求の範囲】
【請求項１】
図面データを記憶する図面サーバーと、前記図面サーバーにネットワークを介して接続された端末装置と、前記端末装置を操作するユーザーを特定するＩＤを含むユーザー情報を記憶するユーザー管理サーバーと、を有する画像データ保管システムにおいて、
前記図面サーバーは、
プロジェクト毎に関連付けられたフォルダーに図面データを属させて記憶する図面データ記憶手段と、
前記ネットワークに接続された装置と前記ネットワークを介してデータ通信するサーバー側通信手段と、を有し、
前記ユーザー管理サーバーは、
前記端末装置から前記図面サーバーへのアクセスの可否を前記ＩＤ毎に判断する認証手段と、
前記ネットワークに接続された装置と前記ネットワークを介してデータ通信する管理サーバー側通信手段と、
前記ユーザー情報を記憶するユーザー情報記憶手段と、を有し、
前記端末装置は、
前記図面サーバーの前記図面データ記憶手段からダウンロードした前記フォルダーと前記図面データを記憶するファイル記憶手段と、
前記ネットワークに接続された装置とデータ通信する端末側通信手段と、
前記ファイル記憶手段に記憶されている前記フォルダーと前記図面データを表示する表示手段と、を有し、
前記ユーザー情報は、前記ＩＤ毎に対応したパスワードの情報と、前記ＩＤ毎に関連付けられた前記プロジェクトの情報と、前記ＩＤ毎に関連付けられた前記図面サーバーにアクセス可能な期間のアクセス可能期間情報と、前記ＩＤ毎に関連付けられた前記プロジェクトに関連付けられた前記フォルダーにアクセスした期間のアクセス期間情報とを、を含み、
前記ユーザー管理サーバーは、前記端末装置を用いてユーザーが入力したＩＤとパスワードに対して前記認証手段が前記ユーザー情報に基づいて認証した場合に、前記入力したＩＤに対応する前記ユーザー情報の前記アクセス可能な前記プロジェクトに関連付けられた前記フォルダーへのアクセスを、前記アクセス可能期間情報の範囲であることを条件として前記端末装置に許可し、
前記ユーザー管理サーバーは、前記プロジェクト毎に、所定期間に前記アクセス期間情報が含まれている前記ＩＤの数をカウントすることを特徴とする画像データ保管システム。
【請求項２】
前記図面サーバーにアクセスした前記端末装置から、前記ＩＤに対応して入力する日時を前記アクセス期間情報として前記ユーザー情報記憶手段に記憶することを特徴とする請求項１に記載の画像データ保管システム。
【請求項３】
前記アクセス期間情報は、前記図面サーバーにアクセスした前記ＩＤの日時に基づいて前記ユーザー情報記憶手段に記憶されることを特徴とする請求項１に記載の画像データ保管システム。
【請求項４】
前記ユーザー管理サーバーがカウントした前記ＩＤの数を、予め決められたメールアドレスに送信することを特徴とする請求項１から請求項３の何れか１項に記載の画像データ保管システム。
【請求項５】
前記ユーザー管理サーバーは、前記図面サーバーに含まれることを特徴とする請求項１から請求項４の何れか１項に記載の画像データ保管システム。
【請求項６】
図面データを保管する図面サーバーからネットワークを介して前記図面データを取得し、ユーザー情報を記憶するユーザー管理サーバーから前記ネットワークを介して前記ユーザー情報を取得し、前記取得した前記図面データと前記ユーザー情報を表示装置に表示させる端末装置において、
前記ユーザー情報は、前記ユーザーのＩＤ毎の前記図面サーバーへのアクセスした期間を含み、
前記表示装置に前記ユーザーが指定した期間に前記アクセスした期間が含まれる前記ＩＤ数を表示させることを特徴とする端末装置。
【発明の詳細な説明】
【技術分野】
【０００１】
本発明は、画像データを含むプロジェクト情報の共有を行い、プロジェクト情報を利用するユーザーを管理する画像データ保管システムおよび端末装置に関する。
【背景技術】
【０００２】
ＣＡＤなどで作成された図面データや図面書類を電子化した図面データを、サーバーに格納し、複数のユーザーが利用できるシステムが広く知られている。また、この図面データを、現場毎などのプロジェクト毎にまとめ、プロジェクトに含まれる図面データを、このプロジェクトに登録されたユーザーのみが利用できるシステムが、例えば、特開２００３‐１５７３０４号公報に記載されている。
【０００３】
また、この文献には、頻繁に変更されるＩＤやパスワードなどの認証情報の管理を容易に行うと共に、工事関係者が関わるプロジェクトに跨った情報管理を可能とするため、企業単位でグループＩＤを設定し、複数人で使用することで、発行するＩＤ数を少なくして管理業務を軽減する技術が記載されている。
【先行技術文献】
【特許文献】
【０００４】
【特許文献１】特開２００３‐１５７３０４号公報
【発明の概要】
【発明が解決しようとする課題】
【０００５】
従来の技術では、使用者情報についての真正であるか否かを判断することができないので、実際に使用しているユーザー数の把握は困難である。例えば、ＩＤとパスワードを用いて、あるプロジェクトに対してログインする場合に、使用者情報を入力することで、そのＩＤによって操作しているユーザーを把握することができようになっている。しかし、使用者情報の入力が無い場合や、間違った使用者情報を入力した場合など、使用者を特定できないという問題があった。また、登録しているが、使用しているか否かは、ログ情報を解析するなど、別途解析処理などが必要であった。システムの使用料を徴収する場合に、その基となる実際の使用者の使用状況についてのデータを取得するのが困難であった。
【課題を解決するための手段】
【０００６】
そこで、本願発明は、実際にプロジェクトを使用しているユーザーを所定の期間ごとに容易に特定できる画像データ保管システムおよび端末装置を提供する。
【０００７】
上述の課題を解決する本発明の画像データ保管システムは、図面データを記憶する図面サーバーと、前記図面サーバーにネットワークを介して接続された端末装置と、前記端末装置を操作するユーザーを特定するＩＤを含むユーザー情報を記憶するユーザー管理サーバーと、を有する画像データ保管システムにおいて、前記図面サーバーは、プロジェクト毎に関連付けられたフォルダーに図面データを属させて記憶する図面データ記憶手段と、前記ネットワークに接続された装置と前記ネットワークを介してデータ通信するサーバー側通信手段と、を有し、前記ユーザー管理サーバーは、前記端末装置から前記図面サーバーへのアクセスの可否を前記ＩＤ毎に判断する認証手段と、前記ネットワークに接続された装置と前記ネットワークを介してデータ通信する管理サーバー側通信手段と、前記ユーザー情報を記憶するユーザー情報記憶手段と、を有し、前記端末装置は、前記図面サーバーの前記図面データ記憶手段からダウンロードした前記フォルダーと前記図面データを記憶するファイル記憶手段と、前記ネットワークに接続された装置とデータ通信する端末側通信手段と、前記ファイル記憶手段に記憶されている前記フォルダーと前記図面データを表示する表示手段と、を有し、前記ユーザー情報は、前記ＩＤ毎に対応したパスワードの情報と、前記ＩＤ毎に関連付けられた前記プロジェクトの情報と、前記ＩＤ毎に関連付けられた前記図面サーバーにアクセス可能な期間のアクセス可能期間情報と、前記ＩＤ毎に関連付けられた前記プロジェクトに関連付けられた前記フォルダーにアクセスした期間のアクセス期間情報とを、を含み、前記ユーザー管理サーバーは、前記端末装置を用いてユーザーが入力したＩＤとパスワードに対して前記認証手段が前記ユーザー情報に基づいて認証した場合に、前記入力したＩＤに対応する前記ユーザー情報の前記アクセス可能な前記プロジェクトに関連付けられた前記フォルダーへのアクセスを、前記アクセス可能期間情報の範囲であることを条件として前記端末装置に許可し、前記ユーザー管理サーバーは、前記プロジェクト毎に、所定期間に前記アクセス期間情報が含まれている前記ＩＤの数をカウントすることを特徴とする。
【０００８】
本発明の端末装置は、図面データを保管する図面サーバーからネットワークを介して前記図面データを取得し、ユーザー情報を記憶するユーザー管理サーバーから前記ネットワークを介して前記ユーザー情報を取得し、前記取得した前記図面データと前記ユーザー情報を表示装置に表示させる端末装置において、前記ユーザー情報は、前記ユーザーのＩＤ毎の前記図面サーバーへのアクセスした期間を含み、前記表示装置に前記ユーザーが指定した期間に前記アクセスした期間が含まれる前記ＩＤ数を表示させることを特徴とする。
【発明の効果】
【０００９】
本発明によれば、プロジェクトに参加し、利用するユーザー数を容易に特定することができる。また、取得したデータを基に、容易に実使用に応じた課金をすることができる。
【図面の簡単な説明】
【００１０】
【図１】図１は、本実施形態に係る端末装置を用いたシステムの概略を説明するための図である。
【図２】図２は、端末装置の表示画面を説明するための図である。
【図３】図３は、本実施形態で用いる端末装置の構成を示したブロック図である。
【図４】図４は、本実施形態で用いる図面サーバーの構成を示したブロック図である。
【図５】図５は、本実施形態で用いるユーザー管理サーバーの構成を示したブロック図である。
【図６】図６は、本実施形態の処理手順を説明するフローチャートである。
【図７】図７は、ユーザー毎の管理情報を説明するための図である。
【図８】図８は、プロジェクトごとの管理情報を説明するための図である。
【発明を実施するための形態】
【００１１】
図面を用いて、本発明の実施形態を説明する。図１は、本実施形態に係る端末装置を用いたシステムの概略を説明するための図である。端末装置１は表示画面１１を備えた、タブレット型端末装置である。端末装置１は、インターネットなどのネットワーク５を介して図面サーバー２に接続している。
【００１２】
本実施形態における端末装置１としてタブレット型端末装置を例に説明するが、ノート型パソコンや携帯電話機等の表示画面上に画像を表示する機能を備えた各種の携帯端末へ適宜に応用できる。この端末装置１は、薄型で比較的軽量であるため、携帯に適しており、例えば、建築現場、土木の作業現場、測量の現場などに持ち込むのに便利である。
【００１３】
図面サーバー２は、図面データを保存している。端末装置１は、図面サーバー２にネットワーク５を介して接続し、図面サーバー２に格納されている図面データを取得し、表示画面１１に表示することができる。
【００１４】
第２モバイル端末４は、端末装置１と同様のタブレット型端末装置である。第２モバイル端末４は、ネットワーク５を介して、図面サーバー２に接続し、記憶されている図面データを取得し、表示することができる。このよに、図面サーバー２は複数のユーザー装置が接続可能であり、複数のユーザーが利用することができる。
【００１５】
ユーザー管理サーバー３は、図面サーバー２を利用するユーザーの管理を行う。例えば、ユーザー毎のＩＤとパスワードを予め記憶し、図面サーバー２にアクセスするための認証を行う。また、ＩＤに関連付けて、図面サーバー２内のアクセス可能な範囲を設定する。例えば、図面サーバー２に図面データなどの図書データを格納する場合に、プロジェクト毎のフォルダーを作成し、そのフォルダーに関連付けて図書データを記憶する。すなわち、同一プロジェクトの図書データを格納するフォルダーを作成し、そのフォルダーに関連する図書データを格納する。ユーザーが、図面サーバー２にアクセスした場合に、ＩＤに対応したアクセス可能な範囲内で利用ができるように、範囲内に対応するフォルダーにアクセスすることを許可する。例えばユーザーが、Ａプロジェクトに関連する図書データ利用できるように登録されている場合について説明する。このユーザーのＩＤには、Ａプロジェクトに関連するＡフォルダーにアクセスできる設定がされている。ユーザーがログインした場合、ユーザー管理サーバー３の認証により、Ａプロジェクトの図書データを格納するＡフォルダーにアクセスできるようになる。
【００１６】
図２は、端末装置の表示画面を説明するための図である。端末装置１は、液晶表示画面などの表示装置を備えている。端末装置１は、図面サーバー２内からダウンロードしたファイルやデータを表示することができる。例えば、端末装置１の表示画面１１には、フォルダーやファイルの一覧や、図面データを表示することができる。ここでは、プロジェクトについて情報を表示する画面について説明する。
【００１７】
ＩＤ表示エリア２０には、ＩＤおよび、ＩＤに対応するユーザーの名前が表示される。プロジェクト表示エリア２１は、ユーザーが利用可能なプロジェクトの名称が表示される。例えば、「Ａ様邸工事」のプロジェクト名が表示される。
【００１８】
利用可能開始日表示エリア２２は、ユーザー「ＡＢＣＤ」がプロジェクト名「Ａ様邸工事」に関わる図書データを利用することの可能な期間の開始日が表示されている。利用可能終了日表示エリア２３は、ユーザー「ＡＢＣＤ」がプロジェクト名「Ａ様邸工事」に関わる図書データを利用することの可能な期間の終了日が表示されている。
【００１９】
この例では、ユーザー「ＡＢＣＤ」は、２０１６年１月２５日から２０１６年７月１０日まで、「Ａ様邸工事」に関わる図書データを利用することができるように設定されている。この設定データは、ユーザー管理サーバーにＩＤに関連付けられて設定されている。この期間内で利用できるが、実際に利用することも、利用しないこともあり得る。
【００２０】
実利用期間表示エリア２４は、ユーザー「ＡＢＣＤ」が、プロジェクト名「Ａ様邸工事」に関わる図書データを実際に利用した日を表示している。この例では、２０１６年４月１５日からこの表示をさせている現在日まで継続して利用していることがわかる。
【００２１】
また、表示画面１１には、工事に必要な設計図などの図面データを表示することができる。
【００２２】
また、表示画面１１には、ユーザーが指定した期間に、ユーザーが図面サーバー２にアクセスしたか否かを表示することができる。また、その期間に図面サーバー２にアクセスした情報をユーザー管理サーバー３から取得して表示することができる。
【００２３】
図３は、本実施形態で用いる端末装置の構成を示したブロック図である。端末装置１の構成を示したブロック図である。この端末装置１は、タブレット型端末装置であり、ＣＰＵ３０、ＲＯＭ３１、ＲＡＭ３２、通信装置３３、表示装置３４、入力装置３５、端末記憶装置３６を備えている。
【００２４】
ＣＰＵ３０は、装置全体の制御のプログラムや、図面表示プログラム等の各種プログラムに従った情報処理を実行することで、端末装置１の各部を統括的に制御する。
【００２５】
ＲＯＭ３１は、ＣＰＵ３０が実行するための各種プログラムや当該プログラムの実行に必要なパラメータ等を記憶したメモリである。
【００２６】
ＲＡＭ３２は、ＣＰＵ３０が処理を行う際に、ワーキングメモリ、データの一時保存などをするメモリである。
【００２７】
通信装置３３は、インターネットなどのネットワークに接続するための通信用インターフェイスである。この通信装置３３を介して図面サーバー２からデジタル図面などのデータを受信することができる。また、図面サーバー２にデータを送信することができる。
【００２８】
表示装置３４は、液晶ディスプレイなどの表示デバイスであり、所定の縮尺で図面データを表示することができる。
【００２９】
入力装置３５は、タッチパネルのことで、表示装置３４に表示画面に触れることで入力することができる。入力装置３５は、ユーザーが指で触れている位置の座標値を所定のサンプリング周期でサンプリングしており、リアルタイムで座標値の時間的変化を追跡することができる。そのため、表示装置３４を指がスライドしていると判断することもできる。
【００３０】
端末記憶装置３６は、例えばハードディスクやＥＥＰＲＯＭなどの大容量記憶媒体を備えている記憶手段である。図面データを拡大や縮小して表示する図面表示プログラムを記憶する図面表示プログラム記憶部３７を含む。また、図面データなどのファイルやそのファイルを含む階層分けされたフォルダーを記憶するファイル記憶部３８を含む。また、ファイル記憶部３８に記憶されているフォルダーやファイルなどの属性情報を記憶するファイル情報記憶部３９を含む。属性情報は、ファイルやフォルダーの作成日、更新日、ファイルサイズ、フォルダーサイズ、作成者などの情報を含む。これらのＣＰＵ３０に接続された各要素は、ＣＰＵ３０の制御によって動作する。
【００３１】
端末装置１は、図面サーバー２にアクセスを許可されると、その許可範囲内で図面データをダウンロードし、ダウンロードした図面データを表示することができる。許可範囲は、例えば、プロジェクト単位毎に予めユーザー管理サーバー３によって決められ、設定されている。許可されたユーザーすなわちＩＤは、そのプロジェクト毎に作成されたフォルダーにアクセスできるようになっている。
【００３２】
また、端末装置１は、図面サーバー２にアクセスした日時、すなわちログデータを図面サーバー２から取得し、ユーザーが指定した日時に図面サーバー２にアクセスしたか否かを比較する演算をし、その結果を表示し、確認することができる。また、ユーザー管理サーバー３から、ネットワーク５を介して、後述するユーザー情報を取得し、表示することができる。
【００３３】
図４は、本実施形態で用いる図面サーバーの構成を示したブロック図である。図面サーバー２の構成を示したブロック図である。この図面サーバー２は、ＣＰＵ４０、ＲＯＭ４１、ＲＡＭ４２、通信装置４３、表示装置４４、入力装置４５、サーバー記憶装置４６を備えている。
【００３４】
ＣＰＵ４０は、各種プログラムに従った情報処理を実行することで、図面サーバー２の全体を統括的に制御する。
【００３５】
ＲＯＭ４１は、ＣＰＵ４０が実行するための各種プログラムやプログラムの実行に必要な初期値などのパラメータを記憶したメモリである。ＲＡＭ４２は、ＣＰＵ４０が処理などを行う際に、ワーキングメモリやデータの一時的な記憶をするメモリである。
【００３６】
通信装置４３は、図面サーバー２をインターネットなどのネットワーク５に接続するための通信用インターフェイスである。図面サーバー２は、この通信装置４３を介して図面データを端末装置１へ送信することができる。また、図面サーバー２は、この通信装置４３を介して端末装置１とデータ通信することができる。
【００３７】
表示装置４４は、液晶ディスプレイなどの表示デバイスであり、ＣＰＵ４０で制御する各種図形、文字などのデータを表示できる。入力装置４５は、キーボード、マウスなどの入力デバイスを備えており、使用者からの操作を受け付ける。
【００３８】
図面サーバー記憶装置４６は、例えばハードディスクなどの大容量記憶媒体であり、ＣＰＵ４０が図面データの管理処理を行うため、図面管理プログラムなどのプログラムを記憶する図面管理プログラム記憶部４７を含む。また、図面データや図面データを変換した表示用図面データなどのファイルを記憶する図面データベース４８を含む。また図面データベース４８はフォルダー毎にそれに属する図面データ等の図書データを記憶している。また、図面データベースに記憶されているファイルやフォルダーの利用履歴が接続情報記憶部４９に記憶される。
【００３９】
図面サーバー２は、アクセスを許可するＩＤとパスワードをユーザー管理サーバー３が記憶している。また、ユーザー管理サーバー３は、図面サーバー２にアクセスしてきたユーザーに対して、ＩＤとパスワードの入力をさせ、予め記憶されているものと比較し一致すれば、アクセスを許可し、不一致ならばアクセスを許可しない。また、予め記憶しているＩＤに、アクセスの許可範囲を関連付けて記憶して、ログインしたＩＤに対して、アクセスできる範囲を制限している。図面サーバー２は、このＩＤとアクセス範囲に基づいて、ユーザーがアクセスできるフォルダーを特定している。例えば、アクセスの許可範囲は、ユーザーが関係しているプロジェクト単位で決められている。プロジェクト毎に、関係する図面データや修正情報などの図書情報をフォルダーに関連付けて格納されている。また、プロジェクトにフォルダーを関連付けることで、プロジェクトに関連付けられた複数のフォルダーにアクセスできるようにしても良い。すなわち、プロジェクトに関連付けられたフォルダーがあり、そのフォルダーにアクセス可能なユーザーを特定していることに他ならない。ユーザーはアクセスが許可されたフォルダー以内のデータをダウンロードできる。
【００４０】
また、図面管理プログラム記憶部４７に記憶されている図面管理プログラムによって、新たに登録される図面データや、修正された図面データがあった場合に、図面データベース４８に格納する。
【００４１】
また、図面管理プログラムによって、ファイルおよびフォルダーのアクセス状況のログを接続情報記憶部４９に記憶する。図面管理プログラムは、新たに図面データが登録された場合や、修正されたデータが登録された場合などの登録手段として、また、図面データベースにアクセスするユーザーの履歴を抽出し、記憶するログ情報の抽出手段として機能している。
【００４２】
図５は、本実施形態で用いるユーザー管理サーバーの構成を示したブロック図である。ネットワーク５に接続されたユーザー管理サーバー３の構成を示したブロック図である。
【００４３】
ユーザー管理サーバー３は、ＣＰＵ５０、ＲＯＭ５１、ＲＡＭ５２、通信装置５３、表示装置５４、入力装置５５、ユーザー管理サーバー記憶装置５６を備えている。
【００４４】
ＣＰＵ５０は、各種プログラムに従った情報処理を実行することで、ユーザー管理サーバー３の全体を統括的に制御する。ＲＯＭ５１は、ＣＰＵ５０が実行するための各種プログラムやプログラムの実行に必要な初期値などのパラメータを記憶したメモリである。ＲＡＭ５２は、ＣＰＵ５０が処理などを行う際に、ワーキングメモリやデータの一時的な記憶をするメモリである。
【００４５】
通信装置５３は、ユーザー管理サーバー３をインターネットなどのネットワーク５に接続するための通信用インターフェイスである。ユーザー管理サーバー３は、この通信装置５３を介して図面サーバー２へアクセスするユーザーを管理する。また、ユーザー管理サーバー３は、この通信装置５３を介して図面サーバー２とデータ通信することができる。図面サーバー２は、ユーザー管理サーバー３と連携して、アクセスするユーザーを管理する。
【００４６】
表示装置５４は、液晶ディスプレイなどの表示デバイスであり、ＣＰＵ５０で制御する各種図形、文字などのデータを表示できる。例えば図面データを表示できる。入力装置５５は、キーボード、マウスなどの入力デバイスを備えており、ユーザーからの操作を受け付ける。文字や、設定値の入力などができる。
【００４７】
ユーザー管理サーバー記憶装置５６は、例えばハードディスクなどの大容量記憶媒体であり、ＣＰＵ５０が実行するユーザー管理プログラムなどのプログラムを記憶するユーザー管理プログラム記憶部５７を備える。また、管理するユーザーのＩＤ、パスワード、図面サーバーへのアクセス可能範囲、プロジェクト情報などの情報を記憶するユーザー情報記憶部５８を含む。プロジェクト情報は、ユーザーの関わるプロジェクト、プロジェクトの利用可能期間、実際に利用した期間などのユーザーとプロジェクトに関わる情報を含むものである。
【００４８】
図面サーバー２にアクセスする場合に、ＩＤとパスワードを入力させ、認証を行う。認証に成功した場合、そのＩＤに関連付けられたプロジェクトのフォルダーにアクセスできる。しかし、そのログインしているＩＤがその時に、ＩＤの有効期限や、プロジェクトの利用可能期間に含まれているか否かを判断し、含まれている場合はアクセスを許可し、含まれていない場合はアクセスを拒絶する。また、ログインすることで、実際に利用した期間や、利用した日を記憶する。
【００４９】
実際に利用した期間は、ユーザーがログインしたことに基づき記憶する場合で説明したが、ユーザーが利用開始する日を登録すること、終了する日を登録することに基づいて決めても良い。
【００５０】
すなわち、図面サーバー２の管理者は、ユーザーの利用を許可する期間を、プロジェクトの利用可能期間として登録する。そして、実際に利用する場合と利用しない場合がある。そこで、利用可能期間内において、利用する開始日をユーザーによって登録させる。そこから、例えば、システムの課金を開始することが考えられる。また、利用を終了する場合にもユーザーによって終了日を登録させる。終了日の入力が無ければ、利用可能期間の末日に終了したことになる。このようにすることで、実際の利用に基づく課金が可能になる。
【００５１】
また、ユーザーのＩＤの有効期限を設ける。そして、プロジェクトにアクセスすることを許可する場合に、ユーザーＩＤにプロジェクトを関連付ける。またプロジェクトにＩＤを関連付ける。この関連付けた日を、利用する開始日とすることができる。また、終了日は、ＩＤとプロジェクトの関連付けを解除した日とすることができる。この期間をプロジェクトに関連付けられた図書を利用した期間として、この期間に基づいて課金することもできる。
【００５２】
例えば、課金はプロジェクト毎に集計される。月毎に、その月に実利用のあるユーザー数をカウントする。例えば、利用可能なユーザー数に基づいて課金するのではなく、実利用のあるユーザー数に基づいて課金することができる。このプロジェクト毎であり、月毎の実利用のユーザー数抽出し、表示するだけではなく、利用可能なユーザー数、実利用のユーザー数に基づいて演算された課金金額を表示することができる。演算結果はユーザー管理サーバー５０がユーザー管理サーバー記憶装置５６に記憶する。
【００５３】
課金方法は、ユーザー数に所定の金額を掛けて求めた値や、プロジェクト毎に設定された所定の金額に、プロジェクトを利用可能なユーザー数に対する実利用者数の割合を掛けて求めた値などの演算などいろいろな方法がある。
【００５４】
また、ここでは、ユーザー管理サーバー３を図面サーバー２とは別のサーバーで説明したが、同一のサーバーに機能を含めることも可能である。
【００５５】
ここで、図７と図８を用いてユーザー情報について説明する。図７は、ユーザー毎の管理情報を説明するための図である。図８は、プロジェクトごとの管理情報を説明するための図である。
【００５６】
ユーザーに関する情報は、ユーザーＩＤ、プロジェクトＩＤ、登録期間、開始日、終了日を含む。このほかにパスワード等の認証のための情報も含まれる。
【００５７】
ユーザーＩＤに関連付けられて記憶されたプロジェクトＩＤ、登録期間としてそのユーザーＩＤがそのプロジェクトＩＤで示されたプロジェクトのフォルダーにアクセスすることが可能な期間、開始日とし実際に利用を開始した日、終了日として利用を終了した日が記憶される。
【００５８】
また、プロジェクトＩＤ毎に、そのプロジェクトＩＤに関連付けて、課金期間、ユーザーＩＤ数が記憶されている。課金期間は、例えば１月毎、１週間毎など決められた期間である。また、その課金期間に実際に利用したユーザーＩＤの数を記憶する。この情報に基づいて、課金金額が演算される。
【００５９】
次に動作について説明する。図６は、本実施形態の処理手順を説明するフローチャートである。
【００６０】
先ずステップＳ１では、ユーザー情報の取得を行う。ユーザー情報記憶部５８から、ユーザーＩＤと、そのユーザーＩＤに関連付けられたプロジェクトＩＤ、利用可能な期間、実際に利用した期間の情報を取得する。
【００６１】
次に、ステップＳ２では、プロジェクトＩＤ毎に、さらに予め決められた課金期間毎に、ユーザーＩＤをカウントする。課金期間にユーザーＩＤの利用可能期間が含まれていれば、プロジェクト毎に利用可能なユーザーＩＤ数をカウントする。また、課金期間にユーザーＩＤの実利用日が含まれていれば、プロジェクト毎に実利用したユーザーＩＤ数をカウントする。さらにこのカウント条件ごとのユーザー数に基づいて課金金額を演算する。
【００６２】
次に、ステップＳ３では、カウントした値と演算した値を、カウントの条件ごとに、ユーザー管理サーバー記憶装置５６に記憶する。
【００６３】
次に、ステップＳ４では、ユーザー管理サーバー記憶装置５６に記憶されたカウントの条件ごとのカウントした値と演算した値を表示する。また、予め登録されたメールアドレスに、このカウントの条件ごとのカウントした値と演算した値を配信する。このようにすれば、管理者が、課金情報を容易に取得することができる。
【産業上の利用可能性】
【００６４】
本発明は、サーバーに記憶されたデータを複数のユーザー端末で使用する図面管理システムに利用できる。
【符号の説明】
【００６５】
１  端末装置
２  図面サーバー
３  ユーザー管理サーバー
４  第２モバイル端末
５  ネットワーク
１１  表示画面
２０  ＩＤ表示エリア
２１  プロジェクト表示エリア
２２  利用可能開始日表示エリア
２３  利用可能終了日表示エリア
２４  実利用期間表示エリア
【図１】
2017182361.tif 000003
【図２】
2017182361.tif 000004
【図３】
2017182361.tif 000005
【図４】
2017182361.tif 000006
【図５】
2017182361.tif 000007
【図６】
2017182361.tif 000008
【図７】
2017182361.tif 000009
【図８】
2017182361.tif 000010